(57)【特許請求の範囲】
【請求項１】
直流電圧を入力信号に対応した値の交流電圧に変換して冷陰極放電管に供給するインバータ回路を備えた冷陰極放電管の駆動装置において、
前記入力信号を調整することで、前記冷陰極放電管に供給する電圧を制御する制御手段と、前記冷陰極放電管に供給される電圧の値；前記冷陰極放電管に供給される電流の値；前記冷陰極放電管の温度；のうちの何れかを検出する検出手段と、を備え、
前記制御手段は、
該検出値が予め設定された許容範囲を逸脱しているか否かを判断し、逸脱している場合は、該検出値が該許容範囲内に収まるように前記制御を行うものであり、
前記許容範囲は、
前記冷陰極放電管におけるスネーキング現象の発生を抑制できる範囲として、予め設定されていることを特徴とする冷陰極放電管の駆動装置。
【請求項２】
直流電圧を入力信号に対応した値の交流電圧に変換して冷陰極放電管に供給するインバータ回路を備えた冷陰極放電管の駆動装置において、
前記入力信号を調整することで、前記冷陰極放電管に供給する電圧を制御する制御手段と、前記インバータ回路の温度を検出する検出手段と、を備え、
前記制御手段は、
該検出値が予め設定された許容範囲を逸脱しているか否かを判断し、逸脱している場合は、該検出値が該許容範囲内に収まるように前記制御を行うものであり、
前記許容範囲は、
前記冷陰極放電管におけるスネーキング現象の発生を抑制できる範囲として、予め設定されていることを特徴とする冷陰極放電管の駆動装置。
【請求項３】
前記検出手段による検出処理および前記制御手段による制御処理は、前記冷陰極放電管の駆動中、継続的に実行されることを特徴とする請求項１または請求項２に記載の冷陰極放電管の駆動装置。
【請求項４】
前記入力信号はパルス波であり、かつ、インバータ回路は、前記入力信号のパルスが到来したときにオンデューティとなる請求項１から請求項３の何れかに記載の冷陰極放電管の駆動装置であって、
前記制御手段は、電圧を上げるべきときは、前記パルスの幅を増大及び／または前記パルスの周波数を増加させ、電圧を下げるべきときは、前記パルスの幅を縮小及び／または前記パルスの周波数を減少させることを特徴とする冷陰極放電管の駆動装置。
【請求項５】
冷陰極放電管をバックライトとして用いた液晶表示装置において、請求項１から請求項４の何れかに記載の冷陰極放電管の駆動装置を備えたことを特徴とする液晶表示装置。
【発明の詳細な説明】
【技術分野】
【０００１】
本発明は、液晶表示装置のバックライト等に用いられる蛍光灯の駆動回路に関するものである。
【背景技術】
【０００２】
従来ＯＡ機器や液晶テレビのバックライト等として、冷陰極放電管が広く用いられている。冷陰極放電管は、一対の棒状をなした主電極のそれぞれを筒状のガラスバルブの内部で一端を対向させ、かつ他端部を外部に露呈させるように、ビードガラスを介してガラスバルブの両端部を封止した構造となっている。
【０００３】
ここで冷陰極放電管の内部には不純ガス等が残存していることから、電極間の放電経路がこの不純ガスに遮られて直進できず、その結果、局所的に放電密度に変化が発生して、冷陰極放電管に明暗模様を生じる現象（スネーキング現象）が発生することがある。特に冷陰極放電管に供給される電圧もしくは電流が大きく変動すると、これが電極間の放電強度に影響を及ぼすために、スネーキング現象の生ずる可能性が高くなる。また、冷陰極放電管の温度が大きく変動する場合も、不純ガスの発生度合い（ランプ管面に冷えて吸着していた不純ガス分子が飛び出してくる度合い）に影響を及ぼす結果、スネーキング現象の生ずる可能性が高くなる。
【０００４】
このようなスネーキング現象が生じると、その冷陰極放電管がバックライトとして使用されている画像表示装置の画面には光ムラやフリッカが生じ、表示品質が低下することとなる。
【０００５】
かかる問題を回避する従来技術として、例えば特許文献１には、冷陰極放電管（蛍光灯）内のスネーキング現象の発生が検出されると、不純ガスの吸着が十分に成されてスネーキング現象が消滅するまで冷陰極放電管の点灯と消灯を繰り返すことにより、スネーキング現象を消滅させる技術が開示されている。
【特許文献１】実開平３−１２５３３１
【発明の開示】
【発明が解決しようとする課題】
【０００６】
しかし特許文献１に係る従来技術によると、スネーキング現象の発生から消滅までの間は、冷陰極放電管の点灯と消灯が繰り返されることになる。そのためスネーキング現象が頻繁に発生する場合は、かかる点灯と消灯が何度も繰り返される結果、冷陰極放電管の発光性能が低下するおそれがある。
【０００７】
このような事情から、冷陰極放電管の発光性能を維持するためには、スネーキング現象の発生を事前に防止することが重要である。そこで本発明は、冷陰極放電管におけるスネーキング現象の発生を極力事前に防止し得る冷陰極放電管の駆動装置を提供することを目的とする。
【課題を解決するための手段】
【０００８】
上記課題を解決するため、本発明の冷陰極放電管の駆動装置は、直流電圧を入力信号に対応した値の交流電圧に変換して冷陰極放電管に供給するインバータ回路を備えた冷陰極放電管の駆動装置において、前記入力信号を調整することで、前記冷陰極放電管に供給する電圧を制御する制御手段と、前記冷陰極放電管に供給される電圧の値；前記冷陰極放電管に供給される電流の値；前記冷陰極放電管の温度；のうちの何れかを検出する検出手段と、を備え、前記制御手段は、該検出値が予め設定された許容範囲を逸脱しているか否かを判断し、逸脱している場合は、該検出値が該許容範囲内に収まるように前記制御を行う構成（第１の構成）とする。
【０００９】
先述の通り、冷陰極放電管に供給される電圧の変動、冷陰極放電管に供給される電流の変動、および冷陰極放電管の温度の変動は、スネーキング現象の重大な誘発要因である。また冷陰極放電管に供給される電流および冷陰極放電管の温度は、何れも冷陰極放電管に供給される電圧と密接に関連しているから、上記入力信号を制御（冷陰極放電管への供給電圧を制御）することによって、これらを調整することが可能である。
【００１０】
そこで本構成によれば、冷陰極放電管に供給される電圧、冷陰極放電管に供給される電流、冷陰極放電管の温度の何れかにつき、スネーキング現象を誘発しないような変動の許容範囲を予め設定しておくことで、検出値が当該許容範囲内に収まるように制御がなされる。その結果、これらが大きく変動するのを未然に防ぎ、冷陰極放電管に生じるスネーキング現象を極力事前に防止することが可能となる。
【００１１】
また本発明の冷陰極放電管の駆動装置は、直流電圧を入力信号に対応した値の交流電圧に変換して冷陰極放電管に供給するインバータ回路を備えた冷陰極放電管の駆動装置において、前記入力信号を調整することで、前記冷陰極放電管に供給する電圧を制御する制御手段と、前記インバータ回路の温度を検出する検出手段と、を備え、前記制御手段は、該検出値が予め設定された許容範囲を逸脱しているか否かを判断し、逸脱している場合は、該検出値が該許容範囲内に収まるように前記制御を行う構成（第２の構成）とする。
【００１２】
インバータ回路の温度の変動は、該回路内部に生じたジュール熱による発熱状態の変動が要因であると考えられる。そのため、インバータ回路の温度が変動しているときは、該回路内部の電圧値が変動しており、ひいては冷陰極放電管に供給される電圧も変動していると考えられる。そこで本構成によれば、インバータ回路の温度につき、スネーキング現象を誘発しないような変動の許容範囲を予め設定しておくことで、検出値が当該許容範囲内に収まるように制御がなされる。その結果、冷陰極放電管に供給される電圧が大きく変動するのを未然に防ぎ、冷陰極放電管に生じるスネーキング現象を極力事前に防止することが可能となる。
【００１３】
また上記第１または第２の構成において、前記検出手段による検出処理および前記制御手段による制御処理は、前記冷陰極放電管の駆動中、継続的に実行される構成（第３の構成）としてもよい。
【００１４】
冷陰極放電管への供給電圧等の変動は、例えば外部からの変動要因や負荷（ランプ）の経時変化などによって、冷陰極放電管の駆動開始時以外にも生ずる可能性がある。そこで本構成では、上記検出処理および制御処理が、前記冷陰極放電管の駆動中に継続的に実行されるので、このような変動にも対応できる。
【００１５】
また、前記入力信号はパルス波であり、かつ、インバータ回路は、前記入力信号のパルスが到来したときにオンデューティとなる上記第１から第３の何れかの構成による冷陰極放電管の駆動装置であって、前記制御手段は、電圧を上げるべきときは、前記パルスの幅を増大及び／または前記パルスの周波数を増加させ、電圧を下げるべきときは、前記パルスの幅を縮小及び／または前記パルスの周波数を減少させるように前記入力信号を制御する構成（第４の構成）としてもよい。
【００１６】
本構成によれば、冷陰極放電管に供給する電圧値を簡易かつ正確に制御することができるため、上記第１から第４の何れかの構成に係る電圧制御を、容易に実現することが可能となる。
【００１７】
また、冷陰極放電管をバックライトとして用いた液晶表示装置において、上記第１から第４の何れかの構成による冷陰極放電管の駆動装置を備えた液晶表示装置とすれば、バックライトにおけるスネーキング現象の発生を極力事前に防止し、表示画面での光ムラやフリッカによる表示品質の低下を極力抑えることができる。
【発明の効果】
【００１８】
上記したように、本発明に係る冷陰極放電管の駆動回路であれば、冷陰極放電管に供給される電圧、冷陰極放電管に供給される電流、冷陰極放電管の温度、あるいは、インバータ回路の温度の何れかにつき、スネーキング現象を誘発しないような変動の許容範囲を予め設定しておくことで、検出値が当該許容範囲内に収まるように制御がなされる。その結果、これらが大きく変動するのを未然に防ぎ、冷陰極放電管に生じるスネーキング現象を極力事前に防止することが可能となる。
【発明を実施するための最良の形態】
【００１９】
［実施例１］
本発明の実施例１に係る蛍光灯駆動装置の構成を、図１の構成図を参照しながら説明する。本実施形態は、制御部１、インバータ回路２、蛍光灯３、電圧検知部４等からなる。
【００２０】
制御部１は、インバータ回路２に入力信号を送り、インバータ回路２が出力する交流電圧を制御する。制御は電圧検知部４の検出値に基づいて、蛍光灯３に出力される電圧値が所定の許容範囲を超えないように、或いは下回らないようになされる。この点については改めて述べる。
【００２１】
電圧検知部４は、蛍光灯３に出力される電圧値を検出し、その値を制御部１に伝達する。具体的には図１に示すように、蛍光灯３の前段に設けた分割コンデンサ等を用いて、出力電圧の分圧を得る。そしてこの分圧を検知情報として、抵抗を介して制御部１の電圧検知端子（Ｖ−ＳＥＮＣＥ）に伝送する。
【００２２】
インバータ回路２は、継続的に供給される直流電圧を、制御部１から入力される入力信号に対応した値の交流電圧に変換する。当該直流電圧は、例えば商用の交流電源を整流平滑すること等によって得られる。なおインバータ回路２は、入力信号に対応した値の電圧を出力できるものであれば、その種類は問わない。本実施形態ではその一例として、蛍光灯駆動装置等に広く用いられているプッシュプルインバータ回路を採用する。以下、このプッシュプルインバータ回路について簡潔に説明する。
【００２３】
回路構成は、パルス入力用のトランジスタ５１、起動用の抵抗５２ａ、５２ｂ、プッシュプル動作用のトランジスタ５３ａ、５３ｂ、共振用コンデンサ５４、トランス５５、チョークコイル５６などから成っており、図２のように各々が接続されている。
【００２４】
トランジスタ５１のベースに入力信号（パルス信号）が入力されていない場合は、トランジスタ５３ａ、５３ｂは動作しないので、ｏｕｔ端子に電位差は生じない。しかしトランジスタ５１のベースに入力信号が入力された場合は、トランジスタ５３ａ、５３ｂも動作状態となる。
【００２５】
まずトランジスタ５３ａとトランジスタ５３ｂの閾値電圧のうち、低い方のトランジスタがオンする。例えばトランジスタ５３ａの閾値電圧の方が小さいとすると、トランジスタ５３ａがオンすることとなり、トランジスタ５３ａのコレクタに電流が流れる。そのコレクタ電流の変化はトランス５５を介し、２次巻線に伝えられると共に、３次巻線に接続されたトランジスタ５３ａのベース電位を増大させ、トランジスタ５３ｂのベースの電位を減少させるように３次巻線に電圧を誘起する。
【００２６】
次に、トランジスタ５３ａのコレクタ電流が増加するにともない、トランジスタ５３ａのエミッタ電流も増加し、ベース・エミッタ間電圧も上昇する。トランジタ５３ａ、５３ｂのエミッタは共通して接地されているため、該ベース・エミッタ間電圧がトランジスタ５３ｂの閾値電圧となればトランジスタ５３ｂはオンする。
【００２７】
これによりトランジスタ５３ｂのコレクタに電流が流れ、トランス５５の１次巻線の電流はトランジスタ５３ａのコレクタ電流からトランジスタ５３ｂのコレクタ電流を引いたものとなる。この電流変化はトランス５５を介し、２次巻線側に流れる電流となるとともに３次巻線に接続されたトランジスタ５３ａのベース電位を減少させ、トランジスタ５３ｂのベース電位を上昇させるよう３次巻線に電圧を誘起する。
【００２８】
この結果、トランジスタ５３ａはオフしてトランジスタ５３ｂがオンし、トランジスタ５３ａのコレクタ電流はトランジスタ５３ａのコレクタ・エミッタ間を流れることができないので、コンデンサ５４に充電される。
【００２９】
この後は定常状態となり、コンデンサ５４とトランス５５の１次巻線とで構成される共振回路により、トランス５５の１次巻線にこの共振回路の共振周波数で振動する電流が流れる。以上のように、制御手段からの入力信号によってトランジスタ５１がオンされている期間だけ、上述したプッシュプル動作を行わせる。これによって、上記入力信号に応じた値の交流電圧を出力することができる。
【００３０】
次に本実施形態による蛍光灯駆動装置の作用について、図３に基づいて説明する。ユーザからの駆動開始の指示により、制御部１は入力信号（パルス信号）をインバータ回路２の信号入力端子に出力する。これにより、インバータ回路２は供給される直流電圧を入力信号に応じた値の交流電圧に変換し、蛍光灯３へ供給する（ステップＳ１）。なお駆動開始時には、入力信号は蛍光灯３が適正に駆動するよう予め設定されたパルス波形となっている。しかし後述するように、入力信号のパルス波形の調整が行われた場合は、調整後のパルス波形となる。
【００３１】
このように蛍光灯３を駆動させている間、制御部１は電圧検知部４を通じて、蛍光灯３に出力されている電圧値を継続的に検出する（ステップＳ２）。そして制御部１は、検出値が所定の許容範囲内に収まっているかを判断する。なおこの許容範囲は、蛍光灯３におけるスネーキング現象の発生を抑制できる範囲として、予め設定されている。
【００３２】
その結果、検出値が当該許容範囲の下限値を下回っていると判断した場合（ステップＳ３のＹ）、制御部１は蛍光灯３に出力される電圧の値を上げるように、入力信号のパルスを調整する（ステップＳ５）。また逆に検出値が当該許容範囲の上限値を上回っていると判断した場合（ステップＳ４のＹ）、制御部１は蛍光灯３に出力される電圧の値を下げるように、入力信号のパルスを調整する（ステップＳ６）。
【００３３】
なお入力信号のパルスの調整において、蛍光灯３に出力される電圧の値を上げる場合は、図４のように、パルスの幅を増大、及び／または、パルスの周波数を増加させることでインバータ回路２のオンデューティを増加させ、蛍光灯３への出力電圧を実質的に上げることとする。また逆に蛍光灯３に出力される電圧の値を下げる場合は、パルス幅を縮小、及び／または、パルス周波数を減少させることでインバータ回路２のオンデューティを減少させ、蛍光灯３への出力電圧を実質的に下げることとする。このように、入力信号のパルスの幅若しくは周波数を調整することによって、冷陰極放電管に供給する電圧値を簡易かつ正確に制御することができる。
【００３４】
以上の結果、蛍光灯３に出力される電圧値が何らかの要因で許容範囲を逸脱しかけても、当該電圧値は補正され、大きく変動するのを未然に防止することができる。そのためスネーキング現象の発生を、極力事前に抑えることができる。
【００３５】
［実施例２］
次に実施例２における蛍光灯駆動装置の構成を図５に示す。本実施形態は、制御部１１、インバータ回路部１２、蛍光灯１３、電流検知部１４等から成る。
【００３６】
制御部は１１、インバータ回路１２に入力信号を送り、インバータ回路１２の出力する交流電圧を制御する。制御は電流検知部１４の検出値に基づいて、蛍光灯１３に出力される電流値が所定の許容範囲を超えないように、或いは下回らないようになされる。
【００３７】
電流検知部１４は、蛍光灯１３に出力される電流値を検出し、その値を制御部に伝達する。具体的には図５に示すように、蛍光灯１３と直列に設けた抵抗を利用して、電流の大きさに応じた電圧を得る。そしてこの電圧を検知情報として、電流検知端子（Ｉ−ＳＥＮＣＥ）に伝送する。なおインバータ回路１２の構成等は、実施例１のものと同様である。
【００３８】
本実施例に係る蛍光灯駆動装置の作用について、図６に基づいて説明する。蛍光灯１３に電圧を供給する処理（ステップＳ１）においては、実施例１の場合と同様である。しかし実施例１のステップＳ２では、制御部１は蛍光灯３に出力されている電圧値を検出するのに対し、本実施例における制御部１１は電流検知部１４を通じて、蛍光灯１３に出力されている電流を継続的に検出する（ステップＳ２）。
【００３９】
そして検出された電流値が許容範囲の下限値を下回っていた場合は（ステップＳ３のＹ）、制御部１１は蛍光灯１３に出力される電流値を上げるように、入力信号のパルスを調整する（ステップＳ５）。逆に検出値が許容範囲の上限値を上回っていた場合は（ステップＳ４のＹ）、蛍光灯１３に出力される電流値を下げるように、入力信号のパルスを調整する（ステップＳ６）。なおこの許容範囲は、蛍光灯１３におけるスネーキング現象の発生を抑制できる範囲として、予め設定されているものとする。
【００４０】
なお通常の負荷であれば電流値を上げるためには供給電圧を上げ、電流値を下げるためには供給電圧を下げるように入力信号を調整すべきである。ただし蛍光灯の電圧電流特性が負特性（供給電圧が増大するほど、管内の電流が下がる）であれば、電流値を下げる場合は供給電圧を上げ、電流値を上げる場合は、供給電圧を下げるように入力信号を調整する。またパルスの調整は実施例１の場合と同様、パルスの幅や周波数を変えることにより行う。
【００４１】
以上の結果、蛍光灯１３に出力される電流値が何らかの要因で許容範囲を逸脱し始めても、その度に当該電流値は補正され、大きく変動するのを未然に防止することができる。そのためスネーキング現象の発生を、極力事前に抑えることができる。
【００４２】
［実施例３］
次に実施例３の構成を図７に示す。本実施形態は、制御部２１、インバータ回路２２、蛍光灯２３、温度検知部２４等から成る。
【００４３】
制御部２１は、インバータ回路２２に入力信号を送り、インバータ回路２２の出力する交流電圧を制御する。制御は温度検知部２４の検出値に基づき、蛍光灯の温度が所定の許容範囲を超えないように、或いは下回らないようになされる。
【００４４】
温度検知部２４は、蛍光灯２３の温度を検知し、その情報を制御部２１に伝達する。具体的には、蛍光灯２３の近傍に温度センサ（温度を電圧に変換する装置）を設けており、温度状態に応じた電圧を得る。そしてこの電圧を検知情報として、制御部２１の温度検知端子（Ｔ−ＳＥＮＣＥ）に伝送する。なおインバータ回路２２の構成等は、実施例１のものと同様である。
【００４５】
本実施例に係る蛍光灯駆動装置の作用を、図８に基づいて説明する。本実施例の場合も、蛍光灯２３に電力を供給する処理（ステップＳ１）においては、実施例１の場合と同様である。しかし実施例１のステップＳ２では、制御部１は蛍光灯３に出力されている電圧値を検出するのに対し、本実施例の制御部２１は温度検知部２４を通じて、蛍光灯２３近傍の温度を検出する（ステップＳ２）。
【００４６】
そして検出された温度が許容範囲の下限値を下回っていた場合は（ステップＳ３のＹ）、蛍光灯２３内部の発熱を増大させるべく、制御部２１は蛍光灯２３に出力される電流値を上げるように、入力信号のパルスを調整する（ステップＳ５）。逆に検出値が許容範囲の上限値を上回っていた場合は（ステップＳ４のＹ）、蛍光灯２３内部の発熱を減少させるべく、蛍光灯２３に出力される電流値を下げるように、入力信号のパルスを調整する。なおこの許容範囲は、蛍光灯３におけるスネーキング現象の発生を抑制できる範囲として、予め設定されているものとする。
【００４７】
なお通常の負荷であれば電流値を上げるためには供給電圧を上げ、電流値を下げるためには供給電圧を下げるように入力信号を調整すべきである。ただし蛍光灯の電圧電流特性が負特性（供給電圧が増大するほど、管内の電流が下がる）であれば、電流値を下げる場合は供給電圧を上げ、電流値を上げる場合は、供給電圧を下げるように入力信号を調整する。またパルスの調整は実施例１の場合と同様、パルスの幅や周波数を変えることにより行う。
【００４８】
以上の結果、蛍光灯２３の温度が何らかの要因で許容範囲を逸脱し始めても、当該温度は補正され、大きく変動するのを未然に防止することができる。そのためスネーキング現象の発生を、極力事前に抑えることができる。
【００４９】
また上述した温度センサは、インバータ回路２２の近傍に設けてインバータ回路の温度状態を検出することとしても良い。インバータ回路２２の温度の変動は、該回路内部に生じたジュール熱による発熱状態の変動が要因であると考えられる。そこでインバータ回路２２の温度が許容範囲の上限値を超えているときは、該回路内の電圧が過剰となっており、ひいては蛍光灯２３に供給している電圧も過剰であると考えられるため、供給電圧を減少させるように入力信号を調整する。また逆に下限値を下回っているときは、供給電圧を増加させるように入力信号を調整する。
【００５０】
また上述した実施例１から実施例３における検出処理および制御処理は、蛍光灯の駆動中に継続的に実行される。ここで「継続的」とは、蛍光灯の駆動開始時のみならず、駆動中に繰り返しなされることであり、例えば毎秒１回の頻度で繰り返しなされること等を意味する。これにより、例えば外部からの変動要因や負荷（ランプ）の経時変化などによって、冷陰極放電管の駆動開始時以外にも生ずる供給電圧等の変動にも対応できる。
【００５１】
また上記実施例１から実施例３までの各蛍光灯駆動装置は、検出値が許容値の上限を逸脱しているかという判断と、検出値が許容値の下限を逸脱しているかという判断の双方を行うものであるところ、実際には何れか一方のみを判断することとしてもよい。
【００５２】
また蛍光灯をバックライトとして用いた液晶表示装置において、上記実施例１から実施例３までの各蛍光灯駆動装置を備えたものとすれば、バックライトにおけるスネーキング現象の発生を極力事前に防止し、表示画面での光ムラやフリッカによる表示品質の低下を極力抑えることができる。
【００５３】
そして本発明の構成は、上記実施形態のほか、発明の主旨を逸脱しない範囲で種々の変更を加えることが可能である。なお上記説明は冷陰極放電管として蛍光灯を例示して説明したが、他種の冷陰極放電管であってもよい。
【図面の簡単な説明】
【００５４】
【図１】実施例１の蛍光灯駆動装置の構成図である。
【図２】各実施例で用いられるインバータ回路の構成図である。
【図３】実施例１の蛍光灯駆動装置における処理の流れ図である。
【図４】入力信号の制御に係る説明図である。
【図５】実施例２の蛍光灯駆動装置の構成図である。
【図６】実施例２の蛍光灯駆動装置における処理の流れ図である。
【図７】実施例３の蛍光灯駆動装置の構成図である。
【図８】実施例３の蛍光灯駆動装置における処理の流れ図である。
【符号の説明】
【００５５】
１、１１、２１    制御部（制御手段）
２、１２、２２    インバータ回路
３、１３、２３    蛍光灯（冷陰極放電管）
４                電圧検知回路
１４                電流検知回路
２４                温度検知回路
５１                パルス入力用トランジスタ
５２ａ、５２ｂ      起動用抵抗
５３ａ、５３ｂ      プッシュプル動作用トランジスタ
５４                共振用コンデンサ
５５                トランス
５６                チョークコイル
【図１】
0004557834.tif 000002
【図２】
0004557834.tif 000003
【図３】
0004557834.tif 000004
【図４】
0004557834.tif 000005
【図５】
0004557834.tif 000006
【図６】
0004557834.tif 000007
【図７】
0004557834.tif 000008
【図８】
0004557834.tif 000009